(57)【要約】【課題】シールリングが軸方向で支持部内に固定された状態に位置決め可能であり、軸方向でのシールリングの、場合により生じる変形が、第１のシール面のシール機能にマイナスの影響を与えないようにすることである。【解決手段】本発明は、シールリング（１０）であって、該シールリング（１０）が、その内周面に配置された１つの第１のシール面（２６）と、シールリング（１０）の外周面に配置された少なくとも１つの第２のシール面（１３，１４）とを備えているシールリングに関する。本発明によれば、シールリング（１０）の両端面の少なくとも一方に、軸方向に少なくとも部分的に弾性変形可能な補償領域（１７，１８）が配置されていることが提案される。【選択図】図３
2014206283.tif 000002
【特許請求の範囲】
【請求項１】
シールリング（１０）であって、該シールリング（１０）が、その内周面に配置された１つの第１のシール面（２６）と、シールリング（１０）の外周面に配置された少なくとも１つの第２のシール面（１３，１４）とを備えているシールリングにおいて、シールリング（１０）の両端面の少なくとも一方に、軸方向に少なくとも部分的に弾性変形可能な補償領域（１７，１８）が配置されており、
軸方向に互いに間隔を置いて配置された２つの第２のシール面（１３，１４）が設けられており、両方の第２のシール面（１３，１４）が、シールリング（１０）の軸方向の中間の領域（１１）に配置されており、該中間の領域（１１）に軸方向で少なくとも１つの補償領域（１７，１８）が続いており、
少なくとも１つの補償領域（１７，１８）が、中間の領域（１１）の、軸方向に延びる中心軸線（２２）の領域に配置されていることを特徴とする、シールリング。
【請求項２】
少なくとも１つの補償領域（１７，１８）が、当付け領域（２０）を有している、請求項１記載のシールリング。
【請求項３】
シールリング（１０）の両端面に、それぞれ１つの補償領域（１７，１８）が配置されている、請求項１又は２記載のシールリング。
【請求項４】
第１のシール面（２６）が、中間の領域（１１）から半径方向内向きに突出しかつ半径方向に弾性的にばね作用するシールリップ（２５）に配置されている、請求項１から３までのいずれか１項記載のシールリング。
【請求項５】
少なくとも１つの補償領域（１７，１８）が、中間の領域（１１）の幅よりも少ない幅を有している、請求項１から４までのいずれか１項記載のシールリング。
【請求項６】
補償領域（１７，１８）が、横断面で見て方形の第１の領域（１９）を有しており、該第１の領域（１９）に、横断面図で見て半円形の第２の領域（２０）が軸方向に続いている、請求項５記載のシールリング。
【請求項７】
第１のシール面（２６）が、軸方向で見て、両方の第２のシール面（１３，１４）の間のほぼ中間に配置されている、請求項１から４までのいずれか１項記載のシールリング。
【請求項８】
少なくとも１つの補償領域（１７，１８）が、セグメント状に形成されており、これによって、補償領域（１７，１８）の個々の区分の間にクリアランス（１６）が形成されている、請求項１から７までのいずれか１項記載のシールリング。
【請求項９】
請求項１から８までのいずれか１項記載のシールリング（１０）を備えたアッセンブリにおいて、シールリング（１０）が、軸方向で両側から仕切りエレメント（３，５）によって押圧されていることを特徴とする、シールリングを備えたアッセンブリ。
【発明の詳細な説明】
【技術分野】
【０００１】
本発明は、シールリングであって、該シールリングが、その内周面に配置された１つの第１のシール面と、シールリングの外周面に配置された少なくとも１つの第２のシール面とを備えているシールリングに関する。
【０００２】
さらに、本発明は、前述したシールリングを備えたアッセンブリに関する。
【背景技術】
【０００３】
このような形式のシールリングは、すでに一般的に公知である。この公知のシールリングは、特に構成部材の支持部内に挿入されている。この支持部内では、シールリングが軸方向で両端面において押圧されている。構成部材誤差、特に支持部の誤差に基づき、シールリングが軸方向で正確に嵌め込まれていることが保証されていない。これは、軸方向に遊びが生じる、すなわち、シールリングが軸方向で移動させられるかまたは軸方向の圧縮歪みが発生させられることを意味している。この圧縮歪みはシールリングの変形を招き、これによって、シールリングの半径方向の内面に設けられた第１のシール面が同様に変形させられることがある。このことは、結果的にシール機能にマイナスの影響を与える。極端な例では、これは、軸のシールを、たとえば確実に保証することができないことを意味している。
【発明の概要】
【発明が解決しようとする課題】
【０００４】
上述した公知先行技術から出発して、本発明の課題は、請求項１の上位概念部に記載したシールリングを改良して、シールリングが軸方向で支持部内に固定された状態に位置決め可能であり、軸方向でのシールリングの、場合により生じる変形が、第１のシール面のシール機能にマイナスの影響を与えないようにすることである。
【課題を解決するための手段】
【０００５】
この課題を解決するために本発明に係るシールリングによれば、シールリングの両端面の少なくとも一方に、軸方向に少なくとも部分的に弾性変形可能な補償領域が配置されている。
【０００６】
本発明に係るシールリングの有利な態様によれば、軸方向に互いに間隔を置いて配置された２つの第２のシール面が設けられており、両方の第２のシール面が、中間の領域に配置されており、該中間の領域に軸方向で少なくとも１つの補償領域が続いている。
【０００７】
本発明に係るシールリングの有利な態様によれば、少なくとも１つの補償領域が、中間の領域の、長手方向に延びる中心軸線の領域に配置されている。
【０００８】
本発明に係るシールリングの有利な態様によれば、少なくとも１つの補償領域が、当付け領域を有している。
【０００９】
本発明に係るシールリングの有利な態様によれば、シールリングの両端面に、それぞれ１つの補償領域が配置されている。
【００１０】
本発明に係るシールリングの有利な態様によれば、第１のシール面が、中間の領域から半径方向内向きに突出しかつ半径方向に弾性的にばね作用するシールリップに配置されている。
【００１１】
本発明に係るシールリングの有利な態様によれば、少なくとも１つの補償領域が、中間の領域の幅よりも少ない幅を有している。
【００１２】
本発明に係るシールリングの有利な態様によれば、補償領域が、方形の第１の領域を有しており、該第１の領域に、横断面図で見て半円形の第２の領域が続いている。
【００１３】
本発明に係るシールリングの有利な態様によれば、第１のシール面が、軸方向で見て、両方の第２のシール面の間のほぼ中間に配置されている。
【００１４】
本発明に係るシールリングの有利な態様によれば、少なくとも１つの補償領域が、セグメント状に形成されており、これによって、補償領域の個々の区分の間にクリアランスが形成されている。
【００１５】
さらに、前述した課題を解決するために本発明に係るアッセンブリによれば、シールリングが、軸方向で両側から仕切りエレメントによって押圧されている。
【００１６】
本発明の根底には、シールリングの両端面の少なくとも一方に、軸方向に少なくとも部分的に弾性変形可能な補償領域が配置されているという思想がある。この軸方向の補償領域によって、普通に設けられている構成部材誤差において、支持部内でのシールリングの軸方向の移動がもはや生じず、少なくとも１つの補償領域によって軸方向の押圧力を受け止めることができる。この押圧力は、シールリングの、第２のシール領域を有する中間の領域の変形を招かない。
【００１７】
本発明に係るシールリングの有利な変化態様は、従属請求項に記載してある。本発明の範囲には、明細書、特許請求の範囲および／または図面に開示した特徴の少なくとも２つから成る全ての組合せが含まれる。
【００１８】
特に有利な態様では、軸方向に互いに間隔を置いて配置された２つの第２のシール面が設けられており、両方の第２のシール面が、中間の領域に配置されており、この中間の領域に軸方向で少なくとも１つの補償領域が続いていることが提案されている。これによって、特に良好なシール作用と、シールリングの半径方向に均一な負荷とを得ることができる。
【００１９】
中間の領域が比較的フレキシブルに形成されている場合でも、この中間の領域の変形を排除するために、別の有利な態様では、補償領域が、中間の領域の、長手方向に延びる中心軸線の領域に配置されていることが提案されている。これによって、シールリングへの軸方向の力の発生時に、中間の領域を変形させる傾倒モーメントもしくは横方向力が発生させられないようになっている。
【００２０】
本発明の特に有利な変化態様では、シールリングの両端面に、それぞれ１つの補償領域が配置されていることが提案されている。これによって、軸方向の力を２つの補償領域に加えることができるので、補償領域の特に良好なばね作用が得られる。さらに、両軸方向の一方からの軸方向力の急激な発生時に、シールリングが支持部内で軸方向に移動させられる前に、軸方向力を各補償エレメントによって受け止めることができる。
【００２１】
シールしたいエレメント、たとえば軸への第１のシール面の特に良好な適合は、第１のシール面が、中間の領域から半径方向内向きに突出しかつ半径方向に弾性的にばね作用するシールリップに配置されている場合に得ることができる。
【００２２】
補償領域の軸方向の変形可能性は、少なくとも１つの補償領域が、中間の領域の幅よりも少ない幅を有している場合に確保される。
【００２３】
本発明の更なる利点、特徴および詳細は、有利な実施の形態の以下の説明ならびに図面から明らかである。
【図面の簡単な説明】
【００２４】
【図１】公知先行技術に係るシールリングのアッセンブリの部分縦断面図である。
【図２】本発明に係るシールリングの斜視図である。
【図３】図２のシールリングの一部の断面図である。
【図４】図２に示した本発明に係るシールリングを備えたアッセンブリの部分縦断面図である。
【発明を実施するための形態】
【００２５】
図１には、公知先行技術に係るシールリング１を備えたアッセンブリが示してある。シールリング１は、たとえば軸２をシールするために働く。この軸２はその周面で偏心ブシュ３によって取り囲まれている。この偏心ブシュ３には、たとえば部分縦断面図で見てＬ字形の支持部４が形成されている。この支持部４はシールリング１を半径方向で取り囲んでいて、また、このシールリング１を軸方向で支持している。この軸方向では、偏心ブシュ３に補償ディスク５が続いている。
【００２６】
シールリング１は、半径方向内側に配置された１つの第１のシール面６と、軸方向に互いに間隔を置いて半径方向外側に配置された２つの第２のシール面７，８とを有している。図１には、シールリング１が、偏心ブシュ３に設けられた支持部４を越えて幾分突出している形態が示してある。したがって、補償ディスク５と偏心ブシュ３との軸方向の接合時には、シールリング１が矢印９の方向において、シールリング１を変形させる力で軸方向に押圧されるようになっている。この変形は、結果として、第１のシール面６が配置されたシールリング１の領域の変形も招く。
【００２７】
これと異なり、特に偏心ブシュ３の構成部材誤差に基づき、この偏心ブシュ３が、シールリング１の軸方向の延在量よりも大きい高さを支持部４の領域に有している形態では、シールリング１が支持部４に確かに完全に配置されているものの、そこで、軸方向に一義的に規定された位置をとらなくなってしまう。
【００２８】
図２および図３には、本発明に係るシールリング１０が示してある。このシールリング１０は中間の領域１１を有している。この中間の領域１１の半径方向外向きに見た面には、両方の第２のシール面１３，１４が軸方向に互いに間隔を置いて配置されている。両シール面１３，１４の間では、シールリング１０の外周面にくびれ１５が形成されている。このくびれ１５に基づき、シールリング１０がその外周面において両方の第２のシール面１３，１４でしか支持体の支持部に接触しないことが保証される。中間の領域１１には、シールリング１０の軸方向で見て、それぞれ１つの補償領域１７，１８が続いている。各補償領域１７，１８は、横断面図で見て方形の第１の領域１９を有している。この第１の領域１９には、横断面図で見て半円形の第２の領域２０が続いている。この第２の領域２０は当付け面を形成している。さらに、両補償領域１７，１８は中間の領域１１の中心軸線２２の領域に位置している。
【００２９】
特に図２につき認めることができるように、両補償領域１７，１８または両補償領域１７，１８の単に一方は半径方向に中断部１６を備えて形成されていてよく、これによって、補償領域１７；１８がセグメント状に配置されている。これによって、万が一の変形をより良好に補償することができるかもしくは均質な圧力分配が得られる。
【００３０】
中間の領域１１には、半径方向内向きに突出した面にシールリップ２５が一体成形されている。このシールリップ２５は、その半径方向内向きに突出した面に第１のシール面２６を有している。
【００３１】
図４には、図１に示したアッセンブリが、本発明に係るシールリング１０の使用下で示してある。図４では、補償ディスク５が偏心ブシュ３の一方の端面に完全に載置されている。これによって、シールリング１０の両補償領域１７，１８と、補償ディスク５の対応する端面もしくは支持部４の底部との当付け接触が得られる。したがって、両軸方向から、シールリング１０に軸方向力が加えられる。ただし、この軸方向力は、両補償領域１７，１８が弾性変形させられ、ひいては、中間の領域１１の変形を排除していることにより、両補償領域１７，１８によって受け止められる。
【符号の説明】
【００３２】
１  シールリング
２  軸
３  偏心ブシュ
４  支持部
５  補償ディスク
６  第１のシール面
７  第２のシール面
８  第２のシール面
９  矢印
１０  シールリング
１１  中間の領域
１３  第２のシール面
１４  第２のシール面
１５  くびれ
１６  中断部
１７  補償領域
１８  補償領域
１９  第１の領域
２０  第２の領域
２２  中心軸線
２５  シールリップ
２６  第１のシール面
【図１】
2014206283.tif 000003
【図２】
2014206283.tif 000004
【図３】
2014206283.tif 000005
【図４】
2014206283.tif 000006